(57)【要約】【課題】本発明はネックレス洗浄設備を開示した。【解決手段】前記伝動チャンバの中には伝動装置が設置され、前記作動箱の中には動力チャンバが設置され、前記動力チャンバの中には動力装置が設置され、前記動力装置の中はモータを含み、前記動力装置と前記伝動装置とは動力が伝達できるように連結され、前記動力チャンバの中には液体加え装置が設置され、前記液体加え装置と前記動力装置とは動力が伝達できるように連結され、前記液体加え装置の中は液体貯蔵箱を含み、前記液体貯蔵箱の中には液体貯蔵チャンバが設置され、手で洗浄することと比べ、効率が高くなり、同時に手が直接に洗浄液に接触して腐食されることを避け、同時に本装置は体積が比較的に小さく、もしよく洗浄する需要があれば、家の中に置いて自分で操作してネックレスを洗浄することができ、悪いお店に行ってネックレスの重量が減る問題を避ける。【選択図】図１
2020175372.tif 000002
【特許請求の範囲】
【請求項１】
正面視で、作動箱及び前記作動箱の中に設置された伝動チャンバを含み、前記伝動チャンバの中には伝動装置が設置され、前記作動箱の中には動力チャンバが設置され、前記動力チャンバの中には動力装置が設置され、前記動力装置の中はモータを含み、前記動力装置と前記伝動装置とは動力が伝達できるように連結され、前記動力チャンバの中には液体加え装置が設置され、前記液体加え装置と前記動力装置とは動力が伝達できるように連結され、前記液体加え装置の中は液体貯蔵箱を含み、前記液体貯蔵箱の中には液体貯蔵チャンバが設置され、前記液体貯蔵チャンバの中に洗浄液があり、前記作動箱の中には振動チャンバが設置され、前記振動チャンバの中には洗浄装置が設置され、前記洗浄装置は振動軸と偏心輪とを含み、前記偏心輪が前記振動軸に固定的に設置され、前記振動軸の上端が前記振動チャンバの中に伸びており、且つ上端には洗浄箱が固定的に連結され、前記洗浄箱の中には上方へ開口した洗浄チャンバが設置され、前記液体加え装置は洗浄液を前記洗浄チャンバの中に注いだ後、前記偏心輪が回転して前記洗浄チャンバを振動させ、これによりネックレスを洗浄し、前記洗浄装置は前記伝動装置と伝動できるように連結され、前記洗浄装置の中には持ち上げ機構が設置され、前記持ち上げ機構の中は持ち上げ板を含み、ネックレスを洗浄し終わった後、前記持ち上げ板が上昇してネックレスを洗浄液の中から取り出すことを特徴とするネックレス洗浄設備。
【請求項２】
前記動力装置は前記動力チャンバの左側内壁に固定的に設置された前記モータを含み、前記モータの右側には動力軸が動力が伝達できるように連結され、前記動力軸にはセクタギヤが固定的に設置され、前記動力軸にはセクタベベルギヤが固定的に設置されていることを特徴とする請求項１に記載のネックレス洗浄設備。
【請求項３】
前記伝動装置は前記伝動チャンバの底壁に回転できるように設置された伝動軸を含み、前記伝動軸には主プーリが固定的に設置され、前記伝動軸の上端が前記動力チャンバの中に伸びており、且つ前記伝動軸の上端には伝動ベベルギヤが固定的に設置され、前記伝動チャンバの底壁にはガイド溝が設置され、前記ガイド溝の中にはガイドブロックがスライドできるように設置され、前記ガイド溝の前後端面には引っ張りバネが対称的に固定的に設置され、前後の前記引っ張りバネはそれぞれ前記ガイドブロックの前後端面と当接し、前記ガイドブロックには回転軸が回転できるように設置され、前記回転軸の上端には中間プーリが固定的に設置されていることを特徴とする請求項１に記載のネックレス洗浄設備。
【請求項４】
前記液体加え装置は前記作動箱の上端面に設置されたスライド溝を含み、前記スライド溝の中には手動スライダがスライドできるように設置され、前記手動スライダと前記スライド溝の右側内壁との間はバネにより固定的に連結され、前記動力チャンバの中には前記手動スライダの下端面に固定的に連結された前記液体貯蔵箱が設置され、前記液体貯蔵チャンバの中にはピストンがスライドできるように設置され、前記動力チャンバの左側内壁にはスプラインスリーブが回転できるように設置され、前記スプラインスリーブにはギヤが固定的に設置され、前記スプラインスリーブの中には伝動ロッドがスプラインにより連結され、前記伝動ロッドの右端が前記液体貯蔵チャンバの中に伸びており、且つ前記液体貯蔵チャンバの内壁とネジ山により連結され、前記液体貯蔵チャンバの中には前記伝動ロッドの右端に固定的に連結された前記ピストンが設置され、前記液体貯蔵チャンバの右側内壁には連結管が固定的に連通するように設置され、前記連結管の中には逆止弁が設置されていることを特徴とする請求項１に記載のネックレス洗浄設備。
【請求項５】
前記洗浄装置は前記伝動チャンバの底壁に設置された下スライド溝を含み、前記下スライド溝の中には振動ブロックがスライドできるように設置され、前記下スライド溝の四面の内壁には押圧バネが固定的に設置され、前記押圧バネの相対する端には押圧ブロックが固定的に設置され、前記押圧ブロックの相対端面が前記振動ブロックと当接し、前記振動ブロックには前記振動軸が回転できるように設置され、前記振動軸には副プーリが固定的に設置され、前記副プーリが前記主プーリと前記中間プーリとベルトにより連結され、前記洗浄チャンバの左側内壁の中には連通孔が貫通するように設置され、前記洗浄チャンバの内壁の中には閉鎖板溝が設置され、前記閉鎖板溝の中には前記連通孔を閉鎖する閉鎖板がヒンジにより連結され、前記閉鎖板溝の左内壁と前記閉鎖板との間は復帰ばねにより固定的に連結され、前記洗浄チャンバの上端面にはカバー板がヒンジにより連結され、前記カバー板の上側端面には取っ手が固定的に設置されていることを特徴とする請求項１に記載のネックレス洗浄設備。
【請求項６】
前記持ち上げ機構は前記洗浄チャンバの底壁に固定的に設置された液圧シリンダを含み、前記液圧シリンダの上側の液圧軸の上端には前記持ち上げ板が固定的に設置され、前記持ち上げ板が前記洗浄チャンバの内壁とスライドできるように連結されていることを特徴とする請求項１に記載のネックレス洗浄設備。
【発明の詳細な説明】
【技術分野】
【０００１】
本発明はネックレス洗浄技術分野を取り上げて、具体的にはネックレス洗浄設備である。
【背景技術】
【０００２】
黄金ネックレスは装飾品として多くの人に好まれ、黄金ネックレスをつける時間が長くなると、表面に汚れがつき、色褪せる状況が発生し、ネックレスの光沢がなくなり、多くの人はネックレスをどのように洗うのか知らないので、一般的にネックレスをアクセサリーショップに持っていって洗ってもらい、しかし、一部のアクセサリーショップは化学物質を利用して洗う時にネックレスを腐らせてしまい、ネックレスの重量を減らし、上記の欠点についてネックレス洗浄設備を提出した。
【先行技術文献】
【特許文献】
【０００３】
【特許文献１】中国特許出願公開第108889654号明細書
【発明の概要】
【発明が解決しようとする課題】
【０００４】
本発明はネックレス洗浄設備を提供し、従来技術における上記欠点を解消することを目的とする。
【課題を解決するための手段】
【０００５】
本発明装置のネックレス洗浄設備は、作動箱及び前記作動箱の中に設置された伝動チャンバを含み、前記伝動チャンバの中には伝動装置が設置され、前記作動箱の中には動力チャンバが設置され、前記動力チャンバの中には動力装置が設置され、前記動力装置の中はモータを含み、前記動力装置と前記伝動装置とは動力が伝達できるように連結され、前記動力チャンバの中には液体加え装置が設置され、前記液体加え装置と前記動力装置とは動力が伝達できるように連結され、前記液体加え装置の中は液体貯蔵箱を含み、前記液体貯蔵箱の中には液体貯蔵チャンバが設置され、前記液体貯蔵チャンバの中に洗浄液があり、前記作動箱の中には振動チャンバが設置され、前記振動チャンバの中には洗浄装置が設置され、前記洗浄装置は振動軸と偏心輪とを含み、前記偏心輪が前記振動軸に固定的に設置され、前記振動軸の上端が前記振動チャンバの中に伸びており、且つ上端には洗浄箱が固定的に連結され、前記洗浄箱の中には上方へ開口した洗浄チャンバが設置され、前記液体加え装置は洗浄液を前記洗浄チャンバの中に注いだ後、前記偏心輪が回転して前記洗浄チャンバを振動させ、これによりネックレスを洗浄し、前記洗浄装置は前記伝動装置と伝動できるように連結され、前記洗浄装置の中には持ち上げ機構が設置され、前記持ち上げ機構の中は持ち上げ板を含み、ネックレスを洗浄し終わった後、前記持ち上げ板が上昇してネックレスを洗浄液の中から取り出す。
【０００６】
好ましくは、前記動力装置は前記動力チャンバの左側内壁に固定的に設置された前記モータを含み、前記モータの右側には動力軸が動力が伝達できるように連結され、前記動力軸にはセクタギヤが固定的に設置され、前記動力軸にはセクタベベルギヤが固定的に設置されている。
【０００７】
好ましくは、前記伝動装置は前記伝動チャンバの底壁に回転できるように設置された伝動軸を含み、前記伝動軸には主プーリが固定的に設置され、前記伝動軸の上端が前記動力チャンバの中に伸びており、且つ前記伝動軸の上端には伝動ベベルギヤが固定的に設置され、前記伝動チャンバの底壁にはガイド溝が設置され、前記ガイド溝の中にはガイドブロックがスライドできるように設置され、前記ガイド溝の前後端面には引っ張りバネが対称的に固定的に設置され、前後の前記引っ張りバネはそれぞれ前記ガイドブロックの前後端面と当接し、前記ガイドブロックには回転軸が回転できるように設置され、前記回転軸の上端には中間プーリが固定的に設置されている。
【０００８】
好ましくは、前記液体加え装置は前記作動箱の上端面に設置されたスライド溝を含み、前記スライド溝の中には手動スライダがスライドできるように設置され、前記手動スライダと前記スライド溝の右側内壁との間はバネにより固定的に連結され、前記動力チャンバの中には前記手動スライダの下端面に固定的に連結された前記液体貯蔵箱が設置され、前記液体貯蔵チャンバの中にはピストンがスライドできるように設置され、前記動力チャンバの左側内壁にはスプラインスリーブが回転できるように設置され、前記スプラインスリーブにはギヤが固定的に設置され、前記スプラインスリーブの中には伝動ロッドがスプラインにより連結され、前記伝動ロッドの右端が前記液体貯蔵チャンバの中に伸びており、且つ前記液体貯蔵チャンバの内壁とネジ山により連結され、前記液体貯蔵チャンバの中には前記伝動ロッドの右端に固定的に連結された前記ピストンが設置され、前記液体貯蔵チャンバの右側内壁には連結管が固定的に連通するように設置され、前記連結管の中には逆止弁が設置されている。
【０００９】
好ましくは、前記洗浄装置は前記伝動チャンバの底壁に設置された下スライド溝を含み、前記下スライド溝の中には振動ブロックがスライドできるように設置され、前記下スライド溝の四面の内壁には押圧バネが固定的に設置され、前記押圧バネの相対する端には押圧ブロックが固定的に設置され、前記押圧ブロックの相対端面が前記振動ブロックと当接し、前記振動ブロックには前記振動軸が回転できるように設置され、前記振動軸には副プーリが固定的に設置され、前記副プーリが前記主プーリと前記中間プーリとベルトにより連結され、前記洗浄チャンバの左側内壁の中には連通孔が貫通するように設置され、前記洗浄チャンバの内壁の中には閉鎖板溝が設置され、前記閉鎖板溝の中には前記連通孔を閉鎖する閉鎖板がヒンジにより連結され、前記閉鎖板溝の左内壁と前記閉鎖板との間は復帰ばねにより固定的に連結され、前記洗浄チャンバの上端面にはカバー板がヒンジにより連結され、前記カバー板の上側端面には取っ手が固定的に設置されている。
【００１０】
前記持ち上げ機構は前記洗浄チャンバの底壁に固定的に設置された液圧シリンダを含み、前記液圧シリンダの上側の液圧軸の上端には前記持ち上げ板が固定的に設置され、前記持ち上げ板が前記洗浄チャンバの内壁とスライドできるように連結されている。
【発明の効果】
【００１１】
以上により、本発明装置は構成が簡単で、使用が便利で、アンモニア水混合液などの洗浄液を入れてネックレスを洗浄することができ、洗浄過程の自動化程度が比較的に高く、手で洗浄することと比べ、効率が高くなり、同時に手が直接に洗浄液に接触して腐食されることを避け、同時に本装置は体積が比較的に小さく、もしよく洗浄する需要があれば、家の中に置いて自分で操作してネックレスを洗浄することができ、悪いお店に行ってネックレスの重量が減る問題を避ける。
【図面の簡単な説明】
【００１２】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のネックレス洗浄設備の全体構成模式図
【図２】図２は図１のＡ−Ａの構成模式図
【図３】図３は図１のＢ−Ｂの構成模式図
【発明を実施するための形態】
【００１４】
図１〜３に示すように、本発明装置のネックレス洗浄設備は、作動箱１０及び前記作動箱１０の中に設置された伝動チャンバ１１を含み、前記伝動チャンバ１１の中には伝動装置２００が設置され、前記作動箱１０の中には動力チャンバ１２が設置され、前記動力チャンバ１２の中には動力装置１００が設置され、前記動力装置１００の中はモータ１３を含み、前記動力装置１００と前記伝動装置２００とは動力が伝達できるように連結され、前記動力チャンバ１２の中には液体加え装置３００が設置され、前記液体加え装置３００と前記動力装置１００とは動力が伝達できるように連結され、前記液体加え装置３００の中は液体貯蔵箱１９を含み、前記液体貯蔵箱１９の中には液体貯蔵チャンバ３８が設置され、前記液体貯蔵チャンバ３８の中に洗浄液があり、前記作動箱１０の中には振動チャンバ４２が設置され、前記振動チャンバ４２の中には洗浄装置４００が設置され、前記洗浄装置４００は振動軸４７と偏心輪４３とを含み、前記偏心輪４３が前記振動軸４７に固定的に設置され、前記振動軸４７の上端が前記振動チャンバ４２の中に伸びており、且つ上端には洗浄箱４１が固定的に連結され、前記洗浄箱４１の中には上方へ開口した洗浄チャンバ４０が設置され、前記液体加え装置３００は洗浄液を前記洗浄チャンバ４０の中に注いだ後、前記偏心輪４３が回転して前記洗浄チャンバ４０を振動させ、これによりネックレスを洗浄し、前記洗浄装置４００は前記伝動装置２００と伝動できるように連結され、前記洗浄装置４００の中には持ち上げ機構５００が設置され、前記持ち上げ機構５００の中は持ち上げ板２９を含み、ネックレスを洗浄し終わった後、前記持ち上げ板２９が上昇してネックレスを洗浄液の中から取り出す。
【００１５】
有益的には、前記動力装置１００は前記動力チャンバ１２の左側内壁に固定的に設置された前記モータ１３を含み、前記モータ１３の右側には動力軸１４が動力が伝達できるように連結され、前記動力軸１４にはセクタギヤ２０が固定的に設置され、前記動力軸１４にはセクタベベルギヤ２３が固定的に設置されている。
【００１６】
有益的には、前記伝動装置２００は前記伝動チャンバ１１の底壁に回転できるように設置された伝動軸２１を含み、前記伝動軸２１には主プーリ２２が固定的に設置され、前記伝動軸２１の上端が前記動力チャンバ１２の中に伸びており、且つ前記伝動軸２１の上端には伝動ベベルギヤ２４が固定的に設置され、前記伝動チャンバ１１の底壁にはガイド溝５０が設置され、前記ガイド溝５０の中にはガイドブロック５２がスライドできるように設置され、前記ガイド溝５０の前後端面には引っ張りバネ５３が対称的に固定的に設置され、前後の前記引っ張りバネ５３はそれぞれ前記ガイドブロック５２の前後端面と当接し、前記ガイドブロック５２には回転軸５１が回転できるように設置され、前記回転軸５１の上端には中間プーリ２５が固定的に設置されている。
【００１７】
有益的には、前記液体加え装置３００は前記作動箱１０の上端面に設置されたスライド溝３７を含み、前記スライド溝３７の中には手動スライダ１８がスライドできるように設置され、前記手動スライダ１８と前記スライド溝３７の右側内壁との間はバネ３６により固定的に連結され、前記動力チャンバ１２の中には前記手動スライダ１８の下端面に固定的に連結された前記液体貯蔵箱１９が設置され、前記液体貯蔵チャンバ３８の中にはピストン２７がスライドできるように設置され、前記動力チャンバ１２の左側内壁にはスプラインスリーブ１５が回転できるように設置され、前記スプラインスリーブ１５にはギヤ１７が固定的に設置され、前記スプラインスリーブ１５の中には伝動ロッド１６がスプラインにより連結され、前記伝動ロッド１６の右端が前記液体貯蔵チャンバ３８の中に伸びており、且つ前記液体貯蔵チャンバ３８の内壁とネジ山により連結され、前記液体貯蔵チャンバ３８の中には前記伝動ロッド１６の右端に固定的に連結された前記ピストン２７が設置され、前記液体貯蔵チャンバ３８の右側内壁には連結管２６が固定的に連通するように設置され、前記連結管２６の中には逆止弁２８が設置されている。
【００１８】
有益的には、前記洗浄装置４００は前記伝動チャンバ１１の底壁に設置された下スライド溝４９を含み、前記下スライド溝４９の中には振動ブロック４８がスライドできるように設置され、前記下スライド溝４９の四面の内壁には押圧バネ４５が固定的に設置され、前記押圧バネ４５の相対する端には押圧ブロック４６が固定的に設置され、前記押圧ブロック４６の相対端面が前記振動ブロック４８と当接し、前記振動ブロック４８には前記振動軸４７が回転できるように設置され、前記振動軸４７には副プーリ４４が固定的に設置され、前記副プーリ４４が前記主プーリ２２と前記中間プーリ２５とベルトにより連結され、前記洗浄チャンバ４０の左側内壁の中には連通孔３５が貫通するように設置され、前記洗浄チャンバ４０の内壁の中には閉鎖板溝３２が設置され、前記閉鎖板溝３２の中には前記連通孔３５を閉鎖する閉鎖板３４がヒンジにより連結され、前記閉鎖板溝３２の左内壁と前記閉鎖板３４との間は復帰ばね３３により固定的に連結され、前記洗浄チャンバ４０の上端面にはカバー板３１がヒンジにより連結され、前記カバー板３１の上側端面には取っ手３９が固定的に設置されている。
【００１９】
前記持ち上げ機構５００は前記洗浄チャンバ４０の底壁に固定的に設置された液圧シリンダ３０を含み、前記液圧シリンダ３０の上側の液圧軸の上端には前記持ち上げ板２９が固定的に設置され、前記持ち上げ板２９が前記洗浄チャンバ４０の内壁とスライドできるように連結されている。
【００２０】
前記のネックレス洗浄設備の実現方法は、以下のステップを含む：
【００２１】
洗浄する時、上方へ前記取っ手３９を揺り動かして前記洗浄チャンバ４０を開け、ネックレスを前記洗浄チャンバ４０の中に入れ、前記手動スライダ１８をスライドさせて前記連結管２６を前記連通孔３５の中に挿入して前記閉鎖板３４を押し上げ、前記モータ１３を始動し、前記セクタギヤ２０が前記ギヤ１７と噛み合い、前記動力軸１４は前記セクタギヤ２０と、前記ギヤ１７と、前記スプラインスリーブ１５とにより前記伝動ロッド１６を連動させて回転させ、前記伝動ロッド１６が前記ピストン２７を連動させて片側へ水平運動させ、前記液体貯蔵チャンバ３８の中の洗浄液を前記洗浄チャンバ４０の中に注ぎ、注ぎ終わった後、前記手動スライダ１８を放し、前記手動スライダ１８は前記バネ３６の作用のもとで復帰し、前記連結管２６は前記連通孔３５の中から引き抜かれ、前記セクタベベルギヤ２３が前記伝動ベベルギヤ２４と噛み合い、前記伝動ベベルギヤ２４は前記伝動軸２１と、前記主プーリ２２と、前記中間プーリ２５と、前記副プーリ４４とにより前記振動軸４７を連動させて回転させ、前記振動軸４７が前記偏心輪４３を連動させて回転させて振動を生じ、これにより前記洗浄チャンバ４０の中の洗浄液が振動し始め、ネックレスの洗浄を行い、前記セクタギヤ２０が前記ギヤ１７ともうすぐ噛み合う時に前記モータ１３が停止し、この時、洗浄が完了し、前記液圧シリンダ３０が起動して前記持ち上げ板２９を連動させて上昇させてネックレスを洗浄液から持ち上げ、前記カバー板３１を開けてネックレスを取り出せばよい。
【００２２】
以上により、本発明装置は構成が簡単で、使用が便利で、アンモニア水混合液などの洗浄液を入れてネックレスを洗浄することができ、洗浄過程の自動化程度が比較的に高く、手で洗浄することと比べ、効率が高くなり、同時に手が直接に洗浄液に接触して腐食されることを避け、同時に本装置は体積が比較的に小さく、もしよく洗浄する需要があれば、家の中に置いて自分で操作してネックレスを洗浄することができ、悪いお店に行ってネックレスの重量が減る問題を避ける。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020175372.tif 000003
【図２】
2020175372.tif 000004
【図３】
2020175372.tif 000005
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
正面視で、作動箱及び前記作動箱の中に設置された伝動チャンバを含み、前記伝動チャンバの中には伝動装置が設置され、前記作動箱の中には動力チャンバが設置され、前記動力チャンバの中には動力装置が設置され、前記動力装置の中はモータを含み、前記動力チャンバの中には液体加え装置が設置され、前記液体加え装置の中は液体貯蔵箱を含み、前記液体貯蔵箱の中には液体貯蔵チャンバが設置され、前記液体貯蔵チャンバの中に洗浄液があり、前記作動箱の中には振動チャンバが設置され、前記振動チャンバの中には洗浄装置が設置され、前記洗浄装置は振動軸と偏心輪とを含み、前記偏心輪が前記振動軸に固定的に設置され、前記振動軸の上端が前記振動チャンバの中に伸びており、且つ上端には洗浄箱が固定的に連結され、前記洗浄箱の中には上方へ開口した洗浄チャンバが設置され、前記液体加え装置は洗浄液を前記洗浄チャンバの中に注いだ後、前記偏心輪が回転して前記洗浄チャンバを振動させ、これによりネックレスを洗浄し、前記洗浄装置の中には持ち上げ機構が設置され、前記持ち上げ機構の中は持ち上げ板を含み、ネックレスを洗浄し終わった後、前記持ち上げ板が上昇してネックレスを洗浄液の中から取り出すことを特徴とするネックレス洗浄設備。
【請求項２】
前記動力装置は前記動力チャンバの左側内壁に固定的に設置された前記モータを含み、前記モータの右側には動力軸が動力が伝達できるように連結され、前記動力軸にはセクタギヤが固定的に設置され、前記動力軸にはセクタベベルギヤが固定的に設置されていることを特徴とする請求項１に記載のネックレス洗浄設備。
【請求項３】
前記伝動装置は前記伝動チャンバの底壁に回転できるように設置された伝動軸を含み、前記伝動軸には主プーリが固定的に設置され、前記伝動軸の上端が前記動力チャンバの中に伸びており、且つ前記伝動軸の上端には前記セクタベベルギヤと噛み合える伝動ベベルギヤが固定的に設置され、前記伝動チャンバの底壁にはガイド溝が設置され、前記ガイド溝の中にはガイドブロックがスライドできるように設置され、前記ガイド溝の前後端面には引っ張りバネが対称的に固定的に設置され、前後の前記引っ張りバネはそれぞれ前記ガイドブロックの前後端面と当接し、前記ガイドブロックには回転軸が回転できるように設置され、前記回転軸の上端には中間プーリが固定的に設置されていることを特徴とする請求項２に記載のネックレス洗浄設備。
【請求項４】
前記液体加え装置は前記作動箱の上端面に設置されたスライド溝を含み、前記スライド溝の中には手動スライダがスライドできるように設置され、前記手動スライダと前記スライド溝の右側内壁との間はバネにより固定的に連結され、前記動力チャンバの中には前記手動スライダの下端面に固定的に連結された前記液体貯蔵箱が設置され、前記液体貯蔵チャンバの中にはピストンがスライドできるように設置され、前記動力チャンバの左側内壁にはスプラインスリーブが回転できるように設置され、前記スプラインスリーブには前記セクタギヤと噛み合えるギヤが固定的に設置され、前記スプラインスリーブの中には伝動ロッドがスプラインにより連結され、前記伝動ロッドの右端が前記液体貯蔵チャンバの中に伸びており、且つ前記液体貯蔵チャンバの内壁とネジ山により連結され、前記液体貯蔵チャンバの中には前記伝動ロッドの右端に固定的に連結された前記ピストンが設置され、前記液体貯蔵チャンバの右側内壁には連結管が固定的に連通するように設置され、前記連結管の中には逆止弁が設置されていることを特徴とする請求項２に記載のネックレス洗浄設備。
【請求項５】
前記洗浄装置は前記伝動チャンバの底壁に設置された下スライド溝を含み、前記下スライド溝の中には振動ブロックがスライドできるように設置され、前記下スライド溝の四面の内壁には押圧バネが固定的に設置され、前記押圧バネの相対する端には押圧ブロックが固定的に設置され、前記押圧ブロックの相対端面が前記振動ブロックと当接し、前記振動ブロックには前記振動軸が回転できるように設置され、前記振動軸には副プーリが固定的に設置され、前記副プーリが前記主プーリと前記中間プーリとベルトにより連結され、前記洗浄チャンバの左側内壁の中には連通孔が貫通するように設置され、前記洗浄チャンバの内壁の中には閉鎖板溝が設置され、前記閉鎖板溝の中には前記連通孔を閉鎖する閉鎖板がヒンジにより連結され、前記閉鎖板溝の左内壁と前記閉鎖板との間は復帰ばねにより固定的に連結され、前記洗浄チャンバの上端面にはカバー板がヒンジにより連結され、前記カバー板の上側端面には取っ手が固定的に設置されていることを特徴とする請求項１に記載のネックレス洗浄設備。
【請求項６】
前記持ち上げ機構は前記洗浄チャンバの底壁に固定的に設置された液圧シリンダを含み、前記液圧シリンダの上側の液圧軸の上端には前記持ち上げ板が固定的に設置され、前記持ち上げ板が前記洗浄チャンバの内壁とスライドできるように連結されていることを特徴とする請求項１に記載のネックレス洗浄設備。
【手続補正２】
【補正対象書類名】明細書
【補正対象項目名】全文
【補正方法】変更
【補正の内容】
【発明の詳細な説明】
【技術分野】
【０００１】
本発明はネックレス洗浄技術分野を取り上げて、具体的にはネックレス洗浄設備である。
【背景技術】
【０００２】
黄金ネックレスは装飾品として多くの人に好まれ、黄金ネックレスをつける時間が長くなると、表面に汚れがつき、色褪せる状況が発生し、ネックレスの光沢がなくなり、多くの人はネックレスをどのように洗うのか知らないので、一般的にネックレスをアクセサリーショップに持っていって洗ってもらい、しかし、一部のアクセサリーショップは化学物質を利用して洗う時にネックレスを腐らせてしまい、ネックレスの重量を減らし、上記の欠点についてネックレス洗浄設備を提出した。
【先行技術文献】
【特許文献】
【０００３】
【特許文献１】中国特許出願公開第１０８８８９６５４号明細書
【発明の概要】
【発明が解決しようとする課題】
【０００４】
本発明はネックレス洗浄設備を提供し、従来技術における上記欠点を解消することを目的とする。
【課題を解決するための手段】
【０００５】
本発明装置のネックレス洗浄設備は、作動箱及び前記作動箱の中に設置された伝動チャンバを含み、前記伝動チャンバの中には伝動装置が設置され、前記作動箱の中には動力チャンバが設置され、前記動力チャンバの中には動力装置が設置され、前記動力装置の中はモータを含み、前記動力チャンバの中には液体加え装置が設置され、前記液体加え装置の中は液体貯蔵箱を含み、前記液体貯蔵箱の中には液体貯蔵チャンバが設置され、前記液体貯蔵チャンバの中に洗浄液があり、前記作動箱の中には振動チャンバが設置され、前記振動チャンバの中には洗浄装置が設置され、前記洗浄装置は振動軸と偏心輪とを含み、前記偏心輪が前記振動軸に固定的に設置され、前記振動軸の上端が前記振動チャンバの中に伸びており、且つ上端には洗浄箱が固定的に連結され、前記洗浄箱の中には上方へ開口した洗浄チャンバが設置され、前記液体加え装置は洗浄液を前記洗浄チャンバの中に注いだ後、前記偏心輪が回転して前記洗浄チャンバを振動させ、これによりネックレスを洗浄し、前記洗浄装置の中には持ち上げ機構が設置され、前記持ち上げ機構の中は持ち上げ板を含み、ネックレスを洗浄し終わった後、前記持ち上げ板が上昇してネックレスを洗浄液の中から取り出す。
【０００６】
好ましくは、前記動力装置は前記動力チャンバの左側内壁に固定的に設置された前記モータを含み、前記モータの右側には動力軸が動力が伝達できるように連結され、前記動力軸にはセクタギヤが固定的に設置され、前記動力軸にはセクタベベルギヤが固定的に設置されている。
【０００７】
好ましくは、前記伝動装置は前記伝動チャンバの底壁に回転できるように設置された伝動軸を含み、前記伝動軸には主プーリが固定的に設置され、前記伝動軸の上端が前記動力チャンバの中に伸びており、且つ前記伝動軸の上端には前記セクタベベルギヤと噛み合える伝動ベベルギヤが固定的に設置され、前記伝動チャンバの底壁にはガイド溝が設置され、前記ガイド溝の中にはガイドブロックがスライドできるように設置され、前記ガイド溝の前後端面には引っ張りバネが対称的に固定的に設置され、前後の前記引っ張りバネはそれぞれ前記ガイドブロックの前後端面と当接し、前記ガイドブロックには回転軸が回転できるように設置され、前記回転軸の上端には中間プーリが固定的に設置されている。
【０００８】
好ましくは、前記液体加え装置は前記作動箱の上端面に設置されたスライド溝を含み、前記スライド溝の中には手動スライダがスライドできるように設置され、前記手動スライダと前記スライド溝の右側内壁との間はバネにより固定的に連結され、前記動力チャンバの中には前記手動スライダの下端面に固定的に連結された前記液体貯蔵箱が設置され、前記液体貯蔵チャンバの中にはピストンがスライドできるように設置され、前記動力チャンバの左側内壁にはスプラインスリーブが回転できるように設置され、前記スプラインスリーブには前記セクタギヤと噛み合えるギヤが固定的に設置され、前記スプラインスリーブの中には伝動ロッドがスプラインにより連結され、前記伝動ロッドの右端が前記液体貯蔵チャンバの中に伸びており、且つ前記液体貯蔵チャンバの内壁とネジ山により連結され、前記液体貯蔵チャンバの中には前記伝動ロッドの右端に固定的に連結された前記ピストンが設置され、前記液体貯蔵チャンバの右側内壁には連結管が固定的に連通するように設置され、前記連結管の中には逆止弁が設置されている。
【０００９】
好ましくは、前記洗浄装置は前記伝動チャンバの底壁に設置された下スライド溝を含み、前記下スライド溝の中には振動ブロックがスライドできるように設置され、前記下スライド溝の四面の内壁には押圧バネが固定的に設置され、前記押圧バネの相対する端には押圧ブロックが固定的に設置され、前記押圧ブロックの相対端面が前記振動ブロックと当接し、前記振動ブロックには前記振動軸が回転できるように設置され、前記振動軸には副プーリが固定的に設置され、前記副プーリが前記主プーリと前記中間プーリとベルトにより連結され、前記洗浄チャンバの左側内壁の中には連通孔が貫通するように設置され、前記洗浄チャンバの内壁の中には閉鎖板溝が設置され、前記閉鎖板溝の中には前記連通孔を閉鎖する閉鎖板がヒンジにより連結され、前記閉鎖板溝の左内壁と前記閉鎖板との間は復帰ばねにより固定的に連結され、前記洗浄チャンバの上端面にはカバー板がヒンジにより連結され、前記カバー板の上側端面には取っ手が固定的に設置されている。
【００１０】
前記持ち上げ機構は前記洗浄チャンバの底壁に固定的に設置された液圧シリンダを含み、前記液圧シリンダの上側の液圧軸の上端には前記持ち上げ板が固定的に設置され、前記持ち上げ板が前記洗浄チャンバの内壁とスライドできるように連結されている。
【発明の効果】
【００１１】
以上により、本発明装置は構成が簡単で、使用が便利で、アンモニア水混合液などの洗浄液を入れてネックレスを洗浄することができ、洗浄過程の自動化程度が比較的に高く、手で洗浄することと比べ、効率が高くなり、同時に手が直接に洗浄液に接触して腐食されることを避け、同時に本装置は体積が比較的に小さく、もしよく洗浄する需要があれば、家の中に置いて自分で操作してネックレスを洗浄することができ、悪いお店に行ってネックレスの重量が減る問題を避ける。
【図面の簡単な説明】
【００１２】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のネックレス洗浄設備の全体構成模式図
【図２】図２は図１のＡ−Ａの構成模式図
【図３】図３は図１のＢ−Ｂの構成模式図
【発明を実施するための形態】
【００１４】
図１〜３に示すように、本発明装置のネックレス洗浄設備は、作動箱１０及び前記作動箱１０の中に設置された伝動チャンバ１１を含み、前記伝動チャンバ１１の中には伝動装置２００が設置され、前記作動箱１０の中には動力チャンバ１２が設置され、前記動力チャンバ１２の中には動力装置１００が設置され、前記動力装置１００の中はモータ１３を含み、前記動力チャンバ１２の中には液体加え装置３００が設置され、前記液体加え装置３００の中は液体貯蔵箱１９を含み、前記液体貯蔵箱１９の中には液体貯蔵チャンバ３８が設置され、前記液体貯蔵チャンバ３８の中に洗浄液があり、前記作動箱１０の中には振動チャンバ４２が設置され、前記振動チャンバ４２の中には洗浄装置４００が設置され、前記洗浄装置４００は振動軸４７と偏心輪４３とを含み、前記偏心輪４３が前記振動軸４７に固定的に設置され、前記振動軸４７の上端が前記振動チャンバ４２の中に伸びており、且つ上端には洗浄箱４１が固定的に連結され、前記洗浄箱４１の中には上方へ開口した洗浄チャンバ４０が設置され、前記液体加え装置３００は洗浄液を前記洗浄チャンバ４０の中に注いだ後、前記偏心輪４３が回転して前記洗浄チャンバ４０を振動させ、これによりネックレスを洗浄し、前記洗浄装置４００の中には持ち上げ機構５００が設置され、前記持ち上げ機構５００の中は持ち上げ板２９を含み、ネックレスを洗浄し終わった後、前記持ち上げ板２９が上昇してネックレスを洗浄液の中から取り出す。
【００１５】
有益的には、前記動力装置１００は前記動力チャンバ１２の左側内壁に固定的に設置された前記モータ１３を含み、前記モータ１３の右側には動力軸１４が動力が伝達できるように連結され、前記動力軸１４にはセクタギヤ２０が固定的に設置され、前記動力軸１４にはセクタベベルギヤ２３が固定的に設置されている。
【００１６】
有益的には、前記伝動装置２００は前記伝動チャンバ１１の底壁に回転できるように設置された伝動軸２１を含み、前記伝動軸２１には主プーリ２２が固定的に設置され、前記伝動軸２１の上端が前記動力チャンバ１２の中に伸びており、且つ前記伝動軸２１の上端には前記セクタベベルギヤ２３と噛み合える伝動ベベルギヤ２４が固定的に設置され、前記伝動チャンバ１１の底壁にはガイド溝５０が設置され、前記ガイド溝５０の中にはガイドブロック５２がスライドできるように設置され、前記ガイド溝５０の前後端面には引っ張りバネ５３が対称的に固定的に設置され、前後の前記引っ張りバネ５３はそれぞれ前記ガイドブロック５２の前後端面と当接し、前記ガイドブロック５２には回転軸５１が回転できるように設置され、前記回転軸５１の上端には中間プーリ２５が固定的に設置されている。
【００１７】
有益的には、前記液体加え装置３００は前記作動箱１０の上端面に設置されたスライド溝３７を含み、前記スライド溝３７の中には手動スライダ１８がスライドできるように設置され、前記手動スライダ１８と前記スライド溝３７の右側内壁との間はバネ３６により固定的に連結され、前記動力チャンバ１２の中には前記手動スライダ１８の下端面に固定的に連結された前記液体貯蔵箱１９が設置され、前記液体貯蔵チャンバ３８の中にはピストン２７がスライドできるように設置され、前記動力チャンバ１２の左側内壁にはスプラインスリーブ１５が回転できるように設置され、前記スプラインスリーブ１５には前記セクタギヤ２０と噛み合えるギヤ１７が固定的に設置され、前記スプラインスリーブ１５の中には伝動ロッド１６がスプラインにより連結され、前記伝動ロッド１６の右端が前記液体貯蔵チャンバ３８の中に伸びており、且つ前記液体貯蔵チャンバ３８の内壁とネジ山により連結され、前記液体貯蔵チャンバ３８の中には前記伝動ロッド１６の右端に固定的に連結された前記ピストン２７が設置され、前記液体貯蔵チャンバ３８の右側内壁には連結管２６が固定的に連通するように設置され、前記連結管２６の中には逆止弁２８が設置されている。
【００１８】
有益的には、前記洗浄装置４００は前記伝動チャンバ１１の底壁に設置された下スライド溝４９を含み、前記下スライド溝４９の中には振動ブロック４８がスライドできるように設置され、前記下スライド溝４９の四面の内壁には押圧バネ４５が固定的に設置され、前記押圧バネ４５の相対する端には押圧ブロック４６が固定的に設置され、前記押圧ブロック４６の相対端面が前記振動ブロック４８と当接し、前記振動ブロック４８には前記振動軸４７が回転できるように設置され、前記振動軸４７には副プーリ４４が固定的に設置され、前記副プーリ４４が前記主プーリ２２と前記中間プーリ２５とベルトにより連結され、前記洗浄チャンバ４０の左側内壁の中には連通孔３５が貫通するように設置され、前記洗浄チャンバ４０の内壁の中には閉鎖板溝３２が設置され、前記閉鎖板溝３２の中には前記連通孔３５を閉鎖する閉鎖板３４がヒンジにより連結され、前記閉鎖板溝３２の左内壁と前記閉鎖板３４との間は復帰ばね３３により固定的に連結され、前記洗浄チャンバ４０の上端面にはカバー板３１がヒンジにより連結され、前記カバー板３１の上側端面には取っ手３９が固定的に設置されている。
【００１９】
前記持ち上げ機構５００は前記洗浄チャンバ４０の底壁に固定的に設置された液圧シリンダ３０を含み、前記液圧シリンダ３０の上側の液圧軸の上端には前記持ち上げ板２９が固定的に設置され、前記持ち上げ板２９が前記洗浄チャンバ４０の内壁とスライドできるように連結されている。
【００２０】
前記のネックレス洗浄設備の実現方法は、以下のステップを含む：
【００２１】
洗浄する時、上方へ前記取っ手３９を揺り動かして前記洗浄チャンバ４０を開け、ネックレスを前記洗浄チャンバ４０の中に入れ、前記手動スライダ１８をスライドさせて前記連結管２６を前記連通孔３５の中に挿入して前記閉鎖板３４を押し上げ、前記モータ１３を始動し、前記セクタギヤ２０が前記ギヤ１７と噛み合い、前記動力軸１４は前記セクタギヤ２０と、前記ギヤ１７と、前記スプラインスリーブ１５とにより前記伝動ロッド１６を連動させて回転させ、前記伝動ロッド１６が前記ピストン２７を連動させて片側へ水平運動させ、前記液体貯蔵チャンバ３８の中の洗浄液を前記洗浄チャンバ４０の中に注ぎ、注ぎ終わった後、前記手動スライダ１８を放し、前記手動スライダ１８は前記バネ３６の作用のもとで復帰し、前記連結管２６は前記連通孔３５の中から引き抜かれ、前記セクタベベルギヤ２３が前記伝動ベベルギヤ２４と噛み合い、前記伝動ベベルギヤ２４は前記伝動軸２１と、前記主プーリ２２と、前記中間プーリ２５と、前記副プーリ４４とにより前記振動軸４７を連動させて回転させ、前記振動軸４７が前記偏心輪４３を連動させて回転させて振動を生じ、これにより前記洗浄チャンバ４０の中の洗浄液が振動し始め、ネックレスの洗浄を行い、前記セクタギヤ２０が前記ギヤ１７ともうすぐ噛み合う時に前記モータ１３が停止し、この時、洗浄が完了し、前記液圧シリンダ３０が起動して前記持ち上げ板２９を連動させて上昇させてネックレスを洗浄液から持ち上げ、前記カバー板３１を開けてネックレスを取り出せばよい。
【００２２】
以上により、本発明装置は構成が簡単で、使用が便利で、アンモニア水混合液などの洗浄液を入れてネックレスを洗浄することができ、洗浄過程の自動化程度が比較的に高く、手で洗浄することと比べ、効率が高くなり、同時に手が直接に洗浄液に接触して腐食されることを避け、同時に本装置は体積が比較的に小さく、もしよく洗浄する需要があれば、家の中に置いて自分で操作してネックレスを洗浄することができ、悪いお店に行ってネックレスの重量が減る問題を避ける。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
正面視で、作動箱及び前記作動箱の中に設置された伝動チャンバを含み、前記伝動チャンバの中には伝動装置が設置され、前記作動箱の中には動力チャンバが設置され、前記動力チャンバの中には動力装置が設置され、前記動力装置の中はモータを含み、前記動力装置と前記伝動装置とは動力が伝達できるように連結され、前記動力チャンバの中には液体加え装置が設置され、前記液体加え装置と前記動力装置とは動力が伝達できるように連結され、前記液体加え装置の中は液体貯蔵箱を含み、前記液体貯蔵箱の中には液体貯蔵チャンバが設置され、前記液体貯蔵チャンバの中に洗浄液があり、前記作動箱の中には振動チャンバが設置され、前記振動チャンバの中には洗浄装置が設置され、前記洗浄装置は振動軸と偏心輪とを含み、前記偏心輪が前記振動軸に固定的に設置され、前記振動軸の上端が前記振動チャンバの中に伸びており、且つ上端には洗浄箱が固定的に連結され、前記洗浄箱の中には上方へ開口した洗浄チャンバが設置され、前記液体加え装置は洗浄液を前記洗浄チャンバの中に注いだ後、前記偏心輪が回転して前記洗浄チャンバの中の洗浄液を振動させ、これによりネックレスを洗浄し、前記洗浄装置は前記伝動装置と伝動できるように連結され、前記洗浄装置の中には持ち上げ機構が設置され、前記持ち上げ機構の中は持ち上げ板を含み、ネックレスを洗浄し終わった後、前記持ち上げ板が上昇してネックレスを洗浄液の中から取り出し、
前記動力装置は前記動力チャンバの左側内壁に固定的に設置された前記モータを含み、前記モータの右側には動力軸が動力が伝達できるように連結され、前記動力軸にはセクタギヤが固定的に設置され、前記動力軸にはセクタベベルギヤが固定的に設置されており、
前記伝動装置は前記伝動チャンバの底壁に回転できるように設置された伝動軸を含み、前記伝動軸には主プーリが固定的に設置され、前記伝動軸の上端が前記動力チャンバの中に伸びており、且つ前記伝動軸の上端には伝動ベベルギヤが固定的に設置され、前記セクタベベルギヤが回転するとき前記伝動ベベルギヤと噛み合うことができ、前記伝動チャンバの底壁にはガイド溝が設置され、前記ガイド溝の中にはガイドブロックがスライドできるように設置され、前記ガイド溝の前後端面には引っ張りバネが対称的に固定的に設置され、前後の前記引っ張りバネはそれぞれ前記ガイドブロックの前後端面と当接し、前記ガイドブロックには回転軸が回転できるように設置され、前記回転軸の上端には中間プーリが固定的に設置されており、
前記液体加え装置は前記作動箱の上端面に設置されたスライド溝を含み、前記スライド溝の中には手動スライダがスライドできるように設置され、前記手動スライダと前記スライド溝の右側内壁との間はバネにより固定的に連結され、前記動力チャンバの中には前記手動スライダの下端面に固定的に連結された前記液体貯蔵箱が設置され、前記液体貯蔵チャンバの中にはピストンがスライドできるように設置され、前記動力チャンバの左側内壁にはスプラインスリーブが回転できるように設置され、前記スプラインスリーブにはギヤが固定的に設置され、前記セクタベベルギヤが回転するとき前記ギヤと噛み合うことができ、前記スプラインスリーブの中には伝動ロッドがスプラインにより連結され、前記伝動ロッドの右端が前記液体貯蔵チャンバの中に伸びており、且つ前記液体貯蔵チャンバの内壁とネジ山により連結され、前記液体貯蔵チャンバの中には前記伝動ロッドの右端に固定的に連結された前記ピストンが設置され、前記液体貯蔵チャンバの右側内壁には連結管が固定的に連通するように設置され、前記連結管の中には逆止弁が設置されており、
前記洗浄装置は前記伝動チャンバの底壁に設置された下スライド溝を含み、前記下スライド溝の中には振動ブロックがスライドできるように設置され、前記下スライド溝の四面の内壁には押圧バネが固定的に設置され、前記押圧バネの相対する端には押圧ブロックが固定的に設置され、前記押圧ブロックの相対端面が前記振動ブロックと当接し、前記振動ブロックには前記振動軸が回転できるように設置され、前記振動軸には副プーリが固定的に設置され、前記副プーリが前記主プーリと前記中間プーリとベルトにより連結され、前記洗浄チャンバの左側内壁の中には連通孔が貫通するように設置され、前記洗浄チャンバの内壁の中には閉鎖板溝が設置され、前記閉鎖板溝の中には前記連通孔を閉鎖する閉鎖板がヒンジにより連結され、前記閉鎖板溝の左内壁と前記閉鎖板との間は復帰ばねにより固定的に連結され、前記洗浄チャンバの上端面にはカバー板がヒンジにより連結され、前記カバー板の上側端面には取っ手が固定的に設置されていることを特徴とするネックレス洗浄設備。
【請求項２】
前記持ち上げ機構は前記洗浄チャンバの底壁に固定的に設置された液圧シリンダを含み、前記液圧シリンダの上側の液圧軸の上端には前記持ち上げ板が固定的に設置され、前記持ち上げ板が前記洗浄チャンバの内壁とスライドできるように連結されていることを特徴とする請求項１に記載のネックレス洗浄設備。
【手続補正２】
【補正対象書類名】明細書
【補正対象項目名】全文
【補正方法】変更
【補正の内容】
【発明の詳細な説明】
【技術分野】
【０００１】
本発明はネックレス洗浄技術分野を取り上げて、具体的にはネックレス洗浄設備である。
【背景技術】
【０００２】
黄金ネックレスは装飾品として多くの人に好まれ、黄金ネックレスをつける時間が長くなると、表面に汚れがつき、色褪せる状況が発生し、ネックレスの光沢がなくなり、多くの人はネックレスをどのように洗うのか知らないので、一般的にネックレスをアクセサリーショップに持っていって洗ってもらい、しかし、一部のアクセサリーショップは化学物質を利用して洗う時にネックレスを腐らせてしまい、ネックレスの重量を減らし、上記の欠点についてネックレス洗浄設備を提出した。
【先行技術文献】
【特許文献】
【０００３】
【特許文献１】中国特許出願公開第１０８８８９６５４号明細書
【発明の概要】
【発明が解決しようとする課題】
【０００４】
本発明はネックレス洗浄設備を提供し、従来技術における上記欠点を解消することを目的とする。
【課題を解決するための手段】
【０００５】
本発明装置のネックレス洗浄設備は、作動箱及び前記作動箱の中に設置された伝動チャンバを含み、前記伝動チャンバの中には伝動装置が設置され、前記作動箱の中には動力チャンバが設置され、前記動力チャンバの中には動力装置が設置され、前記動力装置の中はモータを含み、前記動力装置と前記伝動装置とは動力が伝達できるように連結され、前記動力チャンバの中には液体加え装置が設置され、前記液体加え装置と前記動力装置とは動力が伝達できるように連結され、前記液体加え装置の中は液体貯蔵箱を含み、前記液体貯蔵箱の中には液体貯蔵チャンバが設置され、前記液体貯蔵チャンバの中に洗浄液があり、前記作動箱の中には振動チャンバが設置され、前記振動チャンバの中には洗浄装置が設置され、前記洗浄装置は振動軸と偏心輪とを含み、前記偏心輪が前記振動軸に固定的に設置され、前記振動軸の上端が前記振動チャンバの中に伸びており、且つ上端には洗浄箱が固定的に連結され、前記洗浄箱の中には上方へ開口した洗浄チャンバが設置され、前記液体加え装置は洗浄液を前記洗浄チャンバの中に注いだ後、前記偏心輪が回転して前記洗浄チャンバの中の洗浄液を振動させ、これによりネックレスを洗浄し、前記洗浄装置は前記伝動装置と伝動できるように連結され、前記洗浄装置の中には持ち上げ機構が設置され、前記持ち上げ機構の中は持ち上げ板を含み、ネックレスを洗浄し終わった後、前記持ち上げ板が上昇してネックレスを洗浄液の中から取り出す。
【０００６】
好ましくは、前記動力装置は前記動力チャンバの左側内壁に固定的に設置された前記モータを含み、前記モータの右側には動力軸が動力が伝達できるように連結され、前記動力軸にはセクタギヤが固定的に設置され、前記動力軸にはセクタベベルギヤが固定的に設置されている。
【０００７】
好ましくは、前記伝動装置は前記伝動チャンバの底壁に回転できるように設置された伝動軸を含み、前記伝動軸には主プーリが固定的に設置され、前記伝動軸の上端が前記動力チャンバの中に伸びており、且つ前記伝動軸の上端には伝動ベベルギヤが固定的に設置され、前記セクタベベルギヤが回転するとき前記伝動ベベルギヤと噛み合うことができ、前記伝動チャンバの底壁にはガイド溝が設置され、前記ガイド溝の中にはガイドブロックがスライドできるように設置され、前記ガイド溝の前後端面には引っ張りバネが対称的に固定的に設置され、前後の前記引っ張りバネはそれぞれ前記ガイドブロックの前後端面と当接し、前記ガイドブロックには回転軸が回転できるように設置され、前記回転軸の上端には中間プーリが固定的に設置されている。
【０００８】
好ましくは、前記液体加え装置は前記作動箱の上端面に設置されたスライド溝を含み、前記スライド溝の中には手動スライダがスライドできるように設置され、前記手動スライダと前記スライド溝の右側内壁との間はバネにより固定的に連結され、前記動力チャンバの中には前記手動スライダの下端面に固定的に連結された前記液体貯蔵箱が設置され、前記液体貯蔵チャンバの中にはピストンがスライドできるように設置され、前記動力チャンバの左側内壁にはスプラインスリーブが回転できるように設置され、前記スプラインスリーブにはギヤが固定的に設置され、前記セクタベベルギヤが回転するとき前記ギヤと噛み合うことができ、前記スプラインスリーブの中には伝動ロッドがスプラインにより連結され、前記伝動ロッドの右端が前記液体貯蔵チャンバの中に伸びており、且つ前記液体貯蔵チャンバの内壁とネジ山により連結され、前記液体貯蔵チャンバの中には前記伝動ロッドの右端に固定的に連結された前記ピストンが設置され、前記液体貯蔵チャンバの右側内壁には連結管が固定的に連通するように設置され、前記連結管の中には逆止弁が設置されている。
【０００９】
好ましくは、前記洗浄装置は前記伝動チャンバの底壁に設置された下スライド溝を含み、前記下スライド溝の中には振動ブロックがスライドできるように設置され、前記下スライド溝の四面の内壁には押圧バネが固定的に設置され、前記押圧バネの相対する端には押圧ブロックが固定的に設置され、前記押圧ブロックの相対端面が前記振動ブロックと当接し、前記振動ブロックには前記振動軸が回転できるように設置され、前記振動軸には副プーリが固定的に設置され、前記副プーリが前記主プーリと前記中間プーリとベルトにより連結され、前記洗浄チャンバの左側内壁の中には連通孔が貫通するように設置され、前記洗浄チャンバの内壁の中には閉鎖板溝が設置され、前記閉鎖板溝の中には前記連通孔を閉鎖する閉鎖板がヒンジにより連結され、前記閉鎖板溝の左内壁と前記閉鎖板との間は復帰ばねにより固定的に連結され、前記洗浄チャンバの上端面にはカバー板がヒンジにより連結され、前記カバー板の上側端面には取っ手が固定的に設置されている。
【００１０】
前記持ち上げ機構は前記洗浄チャンバの底壁に固定的に設置された液圧シリンダを含み、前記液圧シリンダの上側の液圧軸の上端には前記持ち上げ板が固定的に設置され、前記持ち上げ板が前記洗浄チャンバの内壁とスライドできるように連結されている。
【発明の効果】
【００１１】
以上により、本発明装置は構成が簡単で、使用が便利で、アンモニア水混合液などの洗浄液を入れてネックレスを洗浄することができ、洗浄過程の自動化程度が比較的に高く、手で洗浄することと比べ、効率が高くなり、同時に手が直接に洗浄液に接触して腐食されることを避け、同時に本装置は体積が比較的に小さく、もしよく洗浄する需要があれば、家の中に置いて自分で操作してネックレスを洗浄することができ、悪いお店に行ってネックレスの重量が減る問題を避ける。
【図面の簡単な説明】
【００１２】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のネックレス洗浄設備の全体構成模式図
【図２】図２は図１のＡ−Ａの構成模式図
【図３】図３は図１のＢ−Ｂの構成模式図
【発明を実施するための形態】
【００１４】
図１〜３に示すように、本発明装置のネックレス洗浄設備は、作動箱１０及び前記作動箱１０の中に設置された伝動チャンバ１１を含み、前記伝動チャンバ１１の中には伝動装置２００が設置され、前記作動箱１０の中には動力チャンバ１２が設置され、前記動力チャンバ１２の中には動力装置１００が設置され、前記動力装置１００の中はモータ１３を含み、前記動力装置１００と前記伝動装置２００とは動力が伝達できるように連結され、前記動力チャンバ１２の中には液体加え装置３００が設置され、前記液体加え装置３００と前記動力装置１００とは動力が伝達できるように連結され、前記液体加え装置３００の中は液体貯蔵箱１９を含み、前記液体貯蔵箱１９の中には液体貯蔵チャンバ３８が設置され、前記液体貯蔵チャンバ３８の中に洗浄液があり、前記作動箱１０の中には振動チャンバ４２が設置され、前記振動チャンバ４２の中には洗浄装置４００が設置され、前記洗浄装置４００は振動軸４７と偏心輪４３とを含み、前記偏心輪４３が前記振動軸４７に固定的に設置され、前記振動軸４７の上端が前記振動チャンバ４２の中に伸びており、且つ上端には洗浄箱４１が固定的に連結され、前記洗浄箱４１の中には上方へ開口した洗浄チャンバ４０が設置され、前記液体加え装置３００は洗浄液を前記洗浄チャンバ４０の中に注いだ後、前記偏心輪４３が回転して前記洗浄チャンバ４０の中の洗浄液を振動させ、これによりネックレスを洗浄し、前記洗浄装置４００は前記伝動装置２００と伝動できるように連結され、前記洗浄装置４００の中には持ち上げ機構５００が設置され、前記持ち上げ機構５００の中
は持ち上げ板２９を含み、ネックレスを洗浄し終わった後、前記持ち上げ板２９が上昇してネックレスを洗浄液の中から取り出す。
【００１５】
有益的には、前記動力装置１００は前記動力チャンバ１２の左側内壁に固定的に設置された前記モータ１３を含み、前記モータ１３の右側には動力軸１４が動力が伝達できるように連結され、前記動力軸１４にはセクタギヤ２０が固定的に設置され、前記動力軸１４にはセクタベベルギヤ２３が固定的に設置されている。
【００１６】
有益的には、前記伝動装置２００は前記伝動チャンバ１１の底壁に回転できるように設置された伝動軸２１を含み、前記伝動軸２１には主プーリ２２が固定的に設置され、前記伝動軸２１の上端が前記動力チャンバ１２の中に伸びており、且つ前記伝動軸２１の上端には伝動ベベルギヤ２４が固定的に設置され、前記セクタベベルギヤ２３が回転するとき前記伝動ベベルギヤ２４と噛み合うことができ、前記伝動チャンバ１１の底壁にはガイド溝５０が設置され、前記ガイド溝５０の中にはガイドブロック５２がスライドできるように設置され、前記ガイド溝５０の前後端面には引っ張りバネ５３が対称的に固定的に設置され、前後の前記引っ張りバネ５３はそれぞれ前記ガイドブロック５２の前後端面と当接し、前記ガイドブロック５２には回転軸５１が回転できるように設置され、前記回転軸５１の上端には中間プーリ２５が固定的に設置されている。
【００１７】
有益的には、前記液体加え装置３００は前記作動箱１０の上端面に設置されたスライド溝３７を含み、前記スライド溝３７の中には手動スライダ１８がスライドできるように設置され、前記手動スライダ１８と前記スライド溝３７の右側内壁との間はバネ３６により固定的に連結され、前記動力チャンバ１２の中には前記手動スライダ１８の下端面に固定的に連結された前記液体貯蔵箱１９が設置され、前記液体貯蔵チャンバ３８の中にはピストン２７がスライドできるように設置され、前記動力チャンバ１２の左側内壁にはスプラインスリーブ１５が回転できるように設置され、前記スプラインスリーブ１５にはギヤ１７が固定的に設置され、前記セクタベベルギヤ２３が回転するとき前記ギヤ１７と噛み合うことができ、前記スプラインスリーブ１５の中には伝動ロッド１６がスプラインにより連結され、前記伝動ロッド１６の右端が前記液体貯蔵チャンバ３８の中に伸びており、且つ前記液体貯蔵チャンバ３８の内壁とネジ山により連結され、前記液体貯蔵チャンバ３８の中には前記伝動ロッド１６の右端に固定的に連結された前記ピストン２７が設置され、前記液体貯蔵チャンバ３８の右側内壁には連結管２６が固定的に連通するように設置され、前記連結管２６の中には逆止弁２８が設置されている。
【００１８】
有益的には、前記洗浄装置４００は前記伝動チャンバ１１の底壁に設置された下スライド溝４９を含み、前記下スライド溝４９の中には振動ブロック４８がスライドできるように設置され、前記下スライド溝４９の四面の内壁には押圧バネ４５が固定的に設置され、前記押圧バネ４５の相対する端には押圧ブロック４６が固定的に設置され、前記押圧ブロック４６の相対端面が前記振動ブロック４８と当接し、前記振動ブロック４８には前記振動軸４７が回転できるように設置され、前記振動軸４７には副プーリ４４が固定的に設置され、前記副プーリ４４が前記主プーリ２２と前記中間プーリ２５とベルトにより連結され、前記洗浄チャンバ４０の左側内壁の中には連通孔３５が貫通するように設置され、前記洗浄チャンバ４０の内壁の中には閉鎖板溝３２が設置され、前記閉鎖板溝３２の中には前記連通孔３５を閉鎖する閉鎖板３４がヒンジにより連結され、前記閉鎖板溝３２の左内壁と前記閉鎖板３４との間は復帰ばね３３により固定的に連結され、前記洗浄チャンバ４０の上端面にはカバー板３１がヒンジにより連結され、前記カバー板３１の上側端面には取っ手３９が固定的に設置されている。
【００１９】
前記持ち上げ機構５００は前記洗浄チャンバ４０の底壁に固定的に設置された液圧シリンダ３０を含み、前記液圧シリンダ３０の上側の液圧軸の上端には前記持ち上げ板２９が固定的に設置され、前記持ち上げ板２９が前記洗浄チャンバ４０の内壁とスライドできるように連結されている。
【００２０】
前記のネックレス洗浄設備の実現方法は、以下のステップを含む：
【００２１】
洗浄する時、上方へ前記取っ手３９を揺り動かして前記洗浄チャンバ４０を開け、ネックレスを前記洗浄チャンバ４０の中に入れ、前記手動スライダ１８をスライドさせて前記連結管２６を前記連通孔３５の中に挿入して前記閉鎖板３４を押し上げ、前記モータ１３を始動し、前記セクタギヤ２０が前記ギヤ１７と噛み合い、前記動力軸１４は前記セクタギヤ２０と、前記ギヤ１７と、前記スプラインスリーブ１５とにより前記伝動ロッド１６を連動させて回転させ、前記伝動ロッド１６が前記ピストン２７を連動させて片側へ水平運動させ、前記液体貯蔵チャンバ３８の中の洗浄液を前記洗浄チャンバ４０の中に注ぎ、注ぎ終わった後、前記手動スライダ１８を放し、前記手動スライダ１８は前記バネ３６の作用のもとで復帰し、前記連結管２６は前記連通孔３５の中から引き抜かれ、前記セクタベベルギヤ２３が前記伝動ベベルギヤ２４と噛み合い、前記伝動ベベルギヤ２４は前記伝動軸２１と、前記主プーリ２２と、前記中間プーリ２５と、前記副プーリ４４とにより前記振動軸４７を連動させて回転させ、前記振動軸４７が前記偏心輪４３を連動させて回転させて振動を生じ、これにより前記洗浄チャンバ４０の中の洗浄液が振動し始め、ネックレスの洗浄を行い、前記セクタギヤ２０が前記ギヤ１７ともうすぐ噛み合う時に前記モータ１３が停止し、この時、洗浄が完了し、前記液圧シリンダ３０が起動して前記持ち上げ板２９を連動させて上昇させてネックレスを洗浄液から持ち上げ、前記カバー板３１を開けてネックレスを取り出せばよい。
【００２２】
以上により、本発明装置は構成が簡単で、使用が便利で、アンモニア水混合液などの洗浄液を入れてネックレスを洗浄することができ、洗浄過程の自動化程度が比較的に高く、手で洗浄することと比べ、効率が高くなり、同時に手が直接に洗浄液に接触して腐食されることを避け、同時に本装置は体積が比較的に小さく、もしよく洗浄する需要があれば、家の中に置いて自分で操作してネックレスを洗浄することができ、悪いお店に行ってネックレスの重量が減る問題を避ける。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。